(57)【要約】【課題】ユーザが、容易な操作で、記録される音声信号に対して行う音声信号処理のパラメータを任意に設定すること。【解決手段】撮像装置は、画像設定情報に対するユーザ操作に応じて画像処理パラメータを設定する画像設定手段と、音声設定情報に対するユーザ操作に応じて音声処理パラメータを設定する音声設定手段と、を備え、画像設定情報は、所定形状の第１パターンを有し、画像設定手段は、第１パターン上においてユーザ操作により選択された位置に応じて画像処理パラメータを設定し、音声設定情報は、第１パターンと同一または類似する形状の第２パターンを有し、音声設定手段は、第２パターン上においてユーザ操作により選択された位置に応じて音声処理パラメータを設定する。【選択図】図１
2015185904.tif 000002
【特許請求の範囲】
【請求項１】
被写体像を撮像して画像信号を生成する撮像手段と、
音声を集音して音声信号に変換する集音手段と、
前記画像信号および前記音声信号を記録媒体に記録する記録制御手段と、
画像処理パラメータを設定するための画像設定情報または音声処理パラメータを設定するための音声設定情報を表示手段に表示する表示制御手段と、
前記画像設定情報に対するユーザ操作に応じて前記画像処理パラメータを設定する画像設定手段と、
前記音声設定情報に対するユーザ操作に応じて前記音声処理パラメータを設定する音声設定手段と、
前記画像信号に対して、前記画像設定手段により設定された画像処理パラメータを用いて画像処理を行う画像処理手段と、
前記音声信号に対して、前記音声設定手段により設定された音声処理パラメータを用いて音声信号処理を行う音声信号処理手段と、
を備え、
前記画像設定情報は、所定形状の第１パターンを有し、前記第１パターン上には選択可能な位置が複数設定されており、前記画像設定手段は、前記第１パターン上においてユーザ操作により選択された位置に応じて前記画像処理パラメータを設定し、
前記音声設定情報は、前記第１パターンと同一または類似する形状の第２パターンを有し、前記第２パターン上には選択可能な位置が複数設定されており、前記音声設定手段は、前記第２パターン上においてユーザ操作により選択された位置に応じて前記音声処理パラメータを設定することを特徴とする撮像装置。
【請求項２】
請求項１に記載の撮像装置において、
前記音声設定手段は、ユーザ操作により前記第２パターン上における選択位置が移動されるのに応じて前記音声処理パラメータの値を段階的に変更することを特徴とする撮像装置。
【請求項３】
請求項１に記載の撮像装置において、
前記音声設定情報では、前記第２パターン上に互いに異なる撮影シーンを選択可能な位置が複数設定されており、前記音声設定手段は、前記第２パターン上においてユーザ操作により選択された位置の撮影シーンに応じて前記音声処理パラメータを設定することを特徴とする撮像装置。
【請求項４】
請求項１〜３のいずれか一項に記載の撮像装置において、
前記音声処理パラメータは、前記音声信号に含まれるノイズを除去するノイズ除去処理、前記音声信号のステレオ感を強調するステレオ感強調処理、および前記音声信号に含まれる風切音を除去する風切音除去処理の少なくとも１つの処理で用いられる音声処理パラメータであることを特徴とする撮像装置。
【請求項５】
請求項１〜４のいずれか一項に記載の撮像装置において、
前記音声信号処理手段による音声信号処理後の音声信号を外部の出力装置に送信する送信手段をさらに備えることを特徴とする撮像装置。
【請求項６】
請求項１〜５のいずれか一項に記載の撮像装置において、
前記第１パターンおよび前記第２パターンはそれぞれリング形状であり、
前記第１パターンおよび前記第２パターン上には、それぞれ、選択されている位置を示すマークが表示され、ユーザ操作に応じて前記マークが移動されることで前記選択されている位置が移動されることを特徴とする撮像装置。
【請求項７】
画像信号および音声信号を取得する取得工程と、
画像処理パラメータを設定するための画像設定情報または音声処理パラメータを設定するための音声設定情報を表示手段に表示する表示工程と、
前記画像設定情報に対するユーザ操作に応じて前記画像処理パラメータを設定する画像設定工程と、
前記音声設定情報に対するユーザ操作に応じて前記音声処理パラメータを設定する音声設定工程と、
前記画像信号に対して、前記画像設定工程で設定された画像処理パラメータを用いて画像処理を行う画像処理工程と、
前記音声信号に対して、前記音声設定工程で設定された音声処理パラメータを用いて音声信号処理を行う音声信号処理工程と、
を有し、
前記画像設定情報は、所定形状の第１パターンを有し、前記第１パターン上には選択可能な位置が複数設定されており、前記画像設定工程では、前記第１パターン上においてユーザ操作により選択された位置に応じて前記画像処理パラメータを設定し、
前記音声設定情報は、前記第１パターンと同一または類似する形状の第２パターンを有し、前記第２パターン上には選択可能な位置が複数設定されており、前記音声設定工程では、前記第２パターン上においてユーザ操作により選択された位置に応じて前記音声処理パラメータを設定することを特徴とするパラメータ設定方法。
【請求項８】
請求項７に記載のパラメータ設定方法をコンピュータに実行させることを特徴とするパラメータ設定プログラム。
【請求項９】
被写体像を撮像して画像信号を生成する撮像手段と、
音声を集音して音声信号に変換する集音手段と、
前記画像信号および前記音声信号を記録媒体に記録する記録制御手段と、
音声処理パラメータを設定するための第１音声設定情報または第２音声設定情報を表示手段に表示する表示制御手段と、
前記第１音声設定情報または前記第２音声設定情報に対するユーザ操作に応じて前記音声処理パラメータを設定する音声設定手段と、
前記音声信号に対して、前記音声設定手段により設定された音声処理パラメータを用いて所定の音声信号処理を行う音声信号処理手段と、
を備え、
前記第１音声設定情報は、所定形状の第１パターンを有し、前記第１パターン上に互いに異なる撮影シーンを選択可能な位置が複数設定されており、前記音声設定手段は、前記第１パターン上においてユーザ操作により選択された位置の撮影シーンに応じて前記音声処理パラメータを設定し、
前記第２音声設定情報は、前記第１パターンと同一または類似する形状の第２パターンを有し、前記第２パターン上に選択可能な位置が複数設定されており、前記音声設定手段は、ユーザ操作により前記第２パターン上における選択位置が移動されるのに応じて前記音声処理パラメータの値を段階的に変更することを特徴とする撮像装置。
【発明の詳細な説明】
【技術分野】
【０００１】
本発明は、撮像装置、パラメータ設定方法およびパラメータ設定プログラムに関する。
【背景技術】
【０００２】
ユーザ操作により撮影シーンが選択されると、選択された撮影シーンに適した録画条件および録音条件で動画を撮影する動画撮影装置が知られている（特許文献１参照）。
【先行技術文献】
【特許文献】
【０００３】
【特許文献１】特開２００９−２３９９３０号公報
【発明の概要】
【発明が解決しようとする課題】
【０００４】
上記従来技術では、撮影シーンごとに予め設定された固定の録音条件でしか動画撮影を行うことができず、ユーザが、容易な操作で、記録される音声信号に対して行う音声信号処理のパラメータを任意に設定できることが望まれていた。
【課題を解決するための手段】
【０００５】
（１）請求項１に記載の撮像装置は、被写体像を撮像して画像信号を生成する撮像手段と、音声を集音して音声信号に変換する集音手段と、画像信号および音声信号を記録媒体に記録する記録制御手段と、画像処理パラメータを設定するための画像設定情報または音声処理パラメータを設定するための音声設定情報を表示手段に表示する表示制御手段と、画像設定情報に対するユーザ操作に応じて画像処理パラメータを設定する画像設定手段と、音声設定情報に対するユーザ操作に応じて音声処理パラメータを設定する音声設定手段と、画像信号に対して、画像設定手段により設定された画像処理パラメータを用いて画像処理を行う画像処理手段と、音声信号に対して、音声設定手段により設定された音声処理パラメータを用いて音声信号処理を行う音声信号処理手段と、を備え、画像設定情報は、所定形状の第１パターンを有し、第１パターン上には選択可能な位置が複数設定されており、画像設定手段は、第１パターン上においてユーザ操作により選択された位置に応じて画像処理パラメータを設定し、音声設定情報は、第１パターンと同一または類似する形状の第２パターンを有し、第２パターン上には選択可能な位置が複数設定されており、音声設定手段は、第２パターン上においてユーザ操作により選択された位置に応じて音声処理パラメータを設定することを特徴とする。
（２）請求項７に記載のパラメータ設定方法は、画像信号および音声信号を取得する取得工程と、画像処理パラメータを設定するための画像設定情報または音声処理パラメータを設定するための音声設定情報を表示手段に表示する表示工程と、画像設定情報に対するユーザ操作に応じて画像処理パラメータを設定する画像設定工程と、音声設定情報に対するユーザ操作に応じて音声処理パラメータを設定する音声設定工程と、画像信号に対して、画像設定工程で設定された画像処理パラメータを用いて画像処理を行う画像処理工程と、音声信号に対して、音声設定工程で設定された音声処理パラメータを用いて音声信号処理を行う音声信号処理工程と、を有し、画像設定情報は、所定形状の第１パターンを有し、第１パターン上には選択可能な位置が複数設定されており、画像設定工程では、第１パターン上においてユーザ操作により選択された位置に応じて画像処理パラメータを設定し、音声設定情報は、第１パターンと同一または類似する形状の第２パターンを有し、第２パターン上には選択可能な位置が複数設定されており、音声設定工程では、第２パターン上においてユーザ操作により選択された位置に応じて音声処理パラメータを設定することを特徴とする。
（３）請求項８に記載のパラメータ設定プログラムは、請求項７に記載のパラメータ設定方法をコンピュータに実行させることを特徴とする。
（４）請求項９に記載の撮像装置は、被写体像を撮像して画像信号を生成する撮像手段と、音声を集音して音声信号に変換する集音手段と、画像信号および音声信号を記録媒体に記録する記録制御手段と、音声処理パラメータを設定するための第１音声設定情報または第２音声設定情報を表示手段に表示する表示制御手段と、第１音声設定情報または第２音声設定情報に対するユーザ操作に応じて音声処理パラメータを設定する音声設定手段と、音声信号に対して、音声設定手段により設定された音声処理パラメータを用いて所定の音声信号処理を行う音声信号処理手段と、を備え、第１音声設定情報は、所定形状の第１パターンを有し、第１パターン上に互いに異なる撮影シーンを選択可能な位置が複数設定されており、音声設定手段は、第１パターン上においてユーザ操作により選択された位置の撮影シーンに応じて音声処理パラメータを設定し、第２音声設定情報は、第１パターンと同一または類似する形状の第２パターンを有し、第２パターン上に選択可能な位置が複数設定されており、音声設定手段は、ユーザ操作により第２パターン上における選択位置が移動されるのに応じて音声処理パラメータの値を段階的に変更することを特徴とする。
【発明の効果】
【０００６】
本発明によれば、ユーザが、容易な操作で、記録される音声信号に対して行う音声信号処理のパラメータを任意に設定することができる。
【図面の簡単な説明】
【０００７】
【図１】本発明の一実施の形態によるデジタルカメラの構成例を説明するブロック図である。
【図２】初期画面の一例を説明する図である。
【図３】画像設定画面の一例を説明する図である。
【図４】カーソルの位置に応じた画像処理を説明する図である。
【図５】撮影シーンに応じた画像処理の組合せを説明する図である。
【図６】簡易設定画面の一例を説明する図である。
【図７】音声処理パラメータ選択画面の一例を説明する図である。
【図８】ノイズカット設定画面の一例を説明する図である。
【図９】ノイズカット用の高域カットオフ周波数の可変範囲を説明する図である。
【図１０】臨場感設定画面の一例を説明する図である。
【図１１】ステレオ感強調回路の一例を説明する図である。
【図１２】ステレオ感強調用の低域カットオフ周波数の可変範囲を説明する図である。
【図１３】ＷＩＮＤＣＵＴ設定画面の一例を説明する図である。
【図１４】風切音カット用の低域カットオフ周波数の可変範囲を説明する図である。
【図１５】クリエイティブモードにおける処理の流れを説明するフローチャートである。
【図１６】音声処理パラメータを設定する処理の流れを説明するフローチャートである。
【図１７】図１６のフローチャートに続く処理の流れを説明するフローチャートである。
【図１８】プログラムの提供の様子を説明する図である。
【発明を実施するための形態】
【０００８】
以下、図面を参照して本発明の一実施形態について説明する。図１は、本実施形態に係るデジタルカメラ１の構成を示すブロック図である。デジタルカメラ１は、撮像光学系１１と、撮像素子１２と、レンズ駆動回路１３と、制御部１４と、操作部材１６と、表示部１７と、音声コーデック部１８と、マイク１９と、通信部２０と、を備えている。デジタルカメラ１には、例えばメモリカードなどの記録媒体２１が着脱可能である。
【０００９】
撮像光学系１１は、ズームレンズやフォーカシングレンズを含む複数のレンズ群で構成され、被写体像を撮像素子１２の受光面に結像させる。なお、図１を簡単にするため、撮像光学系１１を単レンズとして図示している。
【００１０】
レンズ駆動回路１３は、制御部１４の制御のもと、撮像光学系１１のズームレンズを駆動して焦点距離を調節するとともに、撮像光学系１１のフォーカシングレンズを駆動して焦点調節を行う。
【００１１】
撮像素子１２は、例えばＣＭＯＳ撮像素子などのイメージセンサであり、撮像光学系１１により結像した被写体像を撮像し、得られた画像信号を制御部１４に出力する。
【００１２】
マイク１９は、Ｌチャンネル用のマイクおよびＲチャンネル用のマイクから構成され、周囲の音声を集音して、音声信号を音声コーデック部１８に入力する。音声コーデック部１８は、ＤＳＰ(Digital Signal Processor)を内蔵し、マイク１９から入力された音声信号に対して例えばフィルタ処理などの音声信号処理を施して、制御部１４へ出力する。
【００１３】
制御部１４は、ＣＰＵ、メモリ、およびその周辺回路から構成され、メモリに格納されたプログラムを実行することにより、デジタルカメラ１の各部を制御する。また、制御部１４は、画像処理部１４ａと、音声信号処理部１４ｂとを機能的に備える。画像処理部１４ａは、撮像素子１２により撮像された画像信号に対して各種の画像処理を行う。音声信号処理部１４ｂは、音声コーデック部１８による音声信号処理を制御する。なお、本実施形態では、制御部１４がプログラムを実行することでこれらの機能が実現されるものとして説明するが、これらの機能を、例えば、ＡＳＩＣ（Application Specific Integrated Circuit）などのハードウェアによって構成してもよい。
【００１４】
表示部１７は、デジタルカメラ１の背面に搭載された液晶モニタ（背面モニタ）等で構成され、撮像素子１２で撮像された撮像画像や各種設定メニューなどが表示される。
【００１５】
操作部材１６は、表示部１７上に配置されたタッチパネル１６ａを含む。タッチパネル１６ａは、タッチペンや指などの接触物が接触した接触位置を検出して、制御部１４に接触位置を出力する。また、操作部材１６は、この他、シャッターボタン、録画ボタン、モード切替ボタン、十字キー、ＯＫボタン、ディスプレイボタンなどを含む。操作部材１６は、ユーザー操作に応じた操作信号を制御部１４へ出力する。
【００１６】
通信部２０は、たとえばアンテナや通信回路等を備える無線通信装置である。通信部２０は、たとえばスマートフォンや携帯電話等の携帯端末３０との間で、たとえば国際標準規格であるＷｉＦｉ（Wireless Fidelity）認証に対応した無線通信方式によって無線通信を行う。
【００１７】
また、本実施形態のデジタルカメラ１には、機器の小型化のためヘッドホン端子等のアナログ音声出力端子が設けられていない。そこで、デジタルカメラ１は、マイク１９から入力された音声信号を、ヘッドホン端子（不図示）を有する携帯端末３０に送信する。携帯端末３０は、デジタルカメラ１から送信された音声信号を、ヘッドホン端子を介してヘッドホン（不図示）へ出力する。これにより、ユーザは、デジタルカメラ１のマイク１９により入力された音声信号を、ヘッドホンによってモニタリングすることができる。
【００１８】
デジタルカメラ１が静止画撮影モードまたは動画撮影モードに設定されると、制御部１４は、撮像素子１２に所定のフレームレートでスルー画用の撮像処理を行わせ、撮像素子１２から時系列で得られる各フレーム画像から表示用のフレーム画像を生成して表示部１７に出力する。これによって表示部１７には、スルー画がリアルタイムで表示される。
【００１９】
静止画撮影モードにおいてシャッターボタンが全押し操作されて静止画の撮影が指示されると、制御部１４は、撮像素子１２に静止画用の撮像処理を行わせ、撮像素子１２から取得した画像信号に対して所定の画像処理を行って静止画データを生成し、ＪＰＥＧなどの所定の方式により圧縮処理を行って、記録媒体２１に記録する。
【００２０】
動画撮影モードにおいて録画ボタンが操作されて動画の撮影開始が指示されると、制御部１４は、撮像素子１２に動画用の撮像処理を開始させ、撮像素子１２から出力された各フレームの画像信号に対して所定の画像処理を行う。制御部１４は、画像処理後の動画データをＭＰＥＧ形式などの圧縮動画データに圧縮する。再度録画ボタンが操作されて動画の撮影終了が指示されると、制御部１４は、動画の撮影終了時点までの圧縮動画データを動画ファイルとして記録媒体２１に記録する。また、制御部１４は、動画の撮影開始から撮影終了までの音声を録音する。すなわち、制御部１４は、動画の撮影開始から撮影終了までにおいてマイク１９により集音され音声コーデック部１８により音声信号処理が施された音声データを、上記圧縮動画データに対応付けて記録媒体２１に記録する。
【００２１】
また、デジタルカメラ１が再生モードに設定されると、制御部１４は、静止画データが選択された場合は、その静止画データを再生して表示部１７に表示する。制御部１４は、動画データが選択された場合はその動画データを再生して表示部１７に表示すると共に、動画データに対応付けられた音声データを再生して不図示のスピーカから出力する。
【００２２】
（クリエイティブモード）
ところで、本実施形態のデジタルカメラ１では、撮影モードとして、通常モードの他に、撮像画像に対して種々の画像処理を施したり、録音される音声信号の音響特性を変更したりすることができるクリエイティブモードが設けられている。クリエイティブモードにおいて静止画撮影も動画撮影も行うことができるが、ここでは動画撮影を行う場合について説明する。
【００２３】
デジタルカメラ１がクリエイティブモードに設定されると、制御部１４は、図２に示す初期画面を表示部１７に表示する。なお、以下で説明する表示画面は、スルー画上に重ねられて表示されるものとする。初期画面では、画面中央に、後述する画像処理パラメータまたは音声処理パラメータを設定するためのパラメータ設定画像５０が表示されると共に、画面右端に「画像」ボタン６０と「音声」ボタン７０とが表示される。パラメータ設定画像５０は、リング形状のパターン（以下リングパターンと表記する）５１とカーソル５２とを有する。カーソル５２は、リングパターン５１上において、制御部１４により現在選択されている位置を示すマークである。制御部１４は、タッチパネル１６ａ上でのカーソル５２に対するドラッグ操作（ユーザがカーソル５２の表示位置を指でタッチした後、タッチしたまま指を移動する操作）に応じて、選択位置（カーソル５２の表示位置）をリングパターン５１に沿って移動させるようになっている。
【００２４】
初期画面において、ユーザにより「画像」ボタン６０がタップされた場合には、制御部１４は、パラメータ設定画像５０を、撮像画像に対して行う画像処理のパラメータ（画像処理パラメータ）を設定するためのユーザインタフェース（ＵＩ）として機能させる。一方、ユーザにより「音声」ボタン７０がタップされた場合には、制御部１４は、パラメータ設定画像５０を、マイク１９により集音した音声信号に対して行う音声信号処理のパラメータ（音声処理パラメータ）を設定するためのユーザインタフェース（ＵＩ）として機能させる。
【００２５】
（画像処理パラメータの設定）
まず、パラメータ設定画像５０が画像処理パラメータを設定するためのＵＩとして機能する場合について説明する。初期画面においてユーザにより「画像」ボタン６０がタップされると、制御部１４は、図３に示すように、画像処理パラメータを設定するための画像設定画面を表示部１７に表示する。この画像設定画面には、画面中央に、画像処理パラメータを設定するためのパラメータ設定画像５０Ａが表示される。パラメータ設定画像５０Ａは、初期画面と同様に、リングパターン５１とカーソル５２とを有している。
【００２６】
画像処理部１４ａは、パラメータ設定画像５０Ａに対するカーソル５２の位置に応じて画像処理パラメータを設定し、設定した画像処理パラメータに基づいて撮像画像に対する画像処理を行う。制御部１４は、画像処理部１４ａによる画像処理後の撮像画像をスルー画として表示部１７に表示する。
【００２７】
すなわち、デジタルカメラ１では、ユーザは、パラメータ設定画像５０Ａ上でカーソル５２を移動させることで画像処理パラメータを変更することができ、変更後の画像処理パラメータに基づく画像処理が行われた撮像画像をスルー画によってリアルタイムで確認することができる。そして、デジタルカメラ１では、ユーザがカーソル５２を移動させて所望の画像処理パラメータに変更した後、録画ボタンを押下することで、所望の画像処理パラメータに基づく画像処理を施した動画を記録することができるようになっている。
【００２８】
なお、本実施形態において、画像処理パラメータとは、パラメータ設定画像５０Ａに設定された４つの画像処理（以下、第１画像処理〜第４画像処理と表記する）のうち、どの画像処理をどのくらいの比率で行うかを示すパラメータである。第１画像処理〜第４画像処理の内容について、詳しくは後述する。
【００２９】
パラメータ設定画像５０Ａには、図３に示すように、パラメータ設定画像５０Ａの頂点位置Ｐ０から時計周りに第０位置〜第６５位置の６６か所の位置が設定され、その位置を示す目盛が表示される。パラメータ設定画像５０Ａの頂点位置Ｐ０が第０位置であり、その右隣の位置Ｐ１が第１位置である。第０位置Ｐ０から時計周りに９０度離れた位置Ｐ１７が第１７位置である。第１位置Ｐ１から第１７位置Ｐ１７の間には、第２位置〜第１６位置の１５か所の位置が等間隔に設定される。第０位置Ｐ０から１８０度離れた位置Ｐ３３が第３３位置である。第１７位置Ｐ１７から第３３位置Ｐ３３の間には、第１８位置〜第３２位置の１５か所の位置が等間隔に設定される。第０位置Ｐ０から時計周りに２７０度離れた位置Ｐ４９が第４９位置である。第３３位置Ｐ３３から第４９位置Ｐ４９の間には、第３４位置〜第４８位置の１５か所の位置が等間隔に設定される。第０位置Ｐ０の左隣の位置Ｐ６５は第６５位置である。第４９位置Ｐ４９から第６５位置Ｐ６５の間には、第５０位置〜第６４位置の１５か所の位置が等間隔に設定される。
【００３０】
次に、図４を用いて、パラメータ設定画像５０Ａ上でのカーソル５２の位置に応じて設定される画像処理パラメータを説明する。図４では、０〜６５の番号が第０位置〜第６５位置を示し、番号の下にその番号が示す位置において設定される画像処理パラメータの内容を記載している。画像設定画面は、最初は、パラメータ設定画像５０Ａの第０位置Ｐ０にカーソル５２を表示された状態で表示される。このとき、画像処理部１４ａは、第１画像処理〜第４画像処理のいずれも行わないように画像処理パラメータを設定する。したがって、表示部１７には、第１画像処理〜第４画像処理のいずれも施していない状態のスルー画、すなわち元画像が表示される。
【００３１】
カーソル５２が第１位置Ｐ１にある場合、画像処理部１４ａは、第１画像処理のみを（すなわち第１画像処理を１００％の比率で）行うように画像処理パラメータを設定する。したがって、カーソル５２が第０位置Ｐ０から第１位置Ｐ１に時計周りに移動すると、表示部１７に表示されるスルー画は、元画像の状態から第１画像処理のみを施した状態へと変化する。
【００３２】
カーソル５２が第１７位置Ｐ１７にある場合、画像処理部１４ａは、第２画像処理のみを（すなわち第２画像処理を１００％の比率で）行うように画像処理パラメータを設定する。したがって、カーソル５２が第１位置Ｐ１から第１７位置Ｐ１７へと時計周りに移動すると、表示部１７に表示されるスルー画は、第１画像処理のみを施した状態から第２画像処理のみを施した状態へと変化する。このとき、表示部１７に表示される撮像画像は、第１画像処理のみを施した状態から第２画像処理のみを施した状態へ１５段階で徐々に遷移するようになっている。すなわち、カーソル５２が第２位置から第１６位置にある間、画像処理部１４ａは、第１画像処理および第２画像処理の両方を行う（すなわち第１画像処理および第２画像処理を重ねがけする）ように画像処理パラメータを設定する。このとき画像処理部１４ａは、カーソル５２が第１位置Ｐ１に近いほど第１画像処理の比率を高くして第２画像処理の比率を低くし、カーソル５２が第１７位置Ｐ１７に近いほど第２画像処理の比率を高くして第１画像処理の比率を低くするように画像処理パラメータを設定する。たとえば、画像処理部１４ａは、カーソル５２が第５位置にあるときは、第１画像処理を７５％、第２画像処理を２５％の比率で、カーソル５２が第９位置にあるときは、第１画像処理を５０％、第２画像処理を５０％の比率で、カーソル５２が第１３位置にあるときは、第１画像処理を２５％、第２画像処理を７５％の比率で行うように画像処理パラメータを設定する。なお、第１画像処理を７５％の比率で行うとは、たとえば、撮像画像に第１画像処理のみを施したとき（すなわち第１画像処理を１００％施したとき）における撮像画像の変化の度合いを１００％としたときに、その度合いの７５％撮像画像が変化するように第１画像処理を施すことである。
【００３３】
また、カーソル５２が第３３位置Ｐ３３にある場合、画像処理部１４ａは、第３画像処理のみを（すなわち第３画像処理を１００％の比率で）行うように画像処理パラメータを設定する。したがって、カーソル５２が第１７位置Ｐ１７から第３３位置Ｐ３３へと時計周りに移動すると、表示部１７に表示されるスルー画は、第２画像処理のみを施した状態から第３画像処理のみを施した状態へと変化する。このとき、表示部１７に表示されるスルー画は、第２画像処理のみを施した状態から第３画像処理のみを施した状態へ１５段階で徐々に遷移するようになっている。すなわち、カーソル５２が第１８位置から第３２位置にある間、画像処理部１４ａは、第２画像処理および第３画像処理の両方を行う（すなわち第２画像処理および第３画像処理を重ねがけする）ように画像処理パラメータを設定する。このとき画像処理部１４ａは、カーソル５２が第１７位置Ｐ１７に近いほど第２画像処理の比率を高くして第３画像処理の比率を低くし、カーソル５２が第３３位置Ｐ３３に近いほど第３画像処理の比率を高くして第２画像処理の比率を低くするように第２画像処理パラメータを設定する。
【００３４】
また、カーソル５２が第４９位置Ｐ４９にある場合、画像処理部１４ａは、第４画像処理のみを（すなわち第４画像処理を１００％の比率で）行うよう画像処理パラメータを設定する。したがって、カーソル５２が第３３位置Ｐ３３から第４９位置Ｐ４９へと時計周りに移動されると、表示部１７に表示されるスルー画は、第３画像処理のみを施した状態から第４画像処理のみを施した状態へと変化する。このとき、表示部１７に表示されるスルー画は、第３画像処理のみを施した状態から第４画像処理のみを施した状態へ１５段階で徐々に遷移するようになっている。すなわち、カーソル５２が第３４位置から第４８位置にある間、画像処理部１４ａは、第３画像処理および第４画像処理の両方を行う（すなわち第３画像処理および第４画像処理を重ねがけする）ように画像処理パラメータを設定する。このとき画像処理部１４ａは、カーソル５２が第３３位置Ｐ３３に近いほど第３画像処理の比率を高くして第４画像処理の比率を低くし、カーソル５２が第４９位置Ｐ４９に近いほど第４画像処理の比率を高くして第３画像処理の比率を低くするように画像処理パラメータを設定する。
【００３５】
また、カーソル５２が第６５位置Ｐ６５にある場合、画像処理部１４ａは、第１画像処理のみを（すなわち第１画像処理を１００％の比率で）行うように画像処理パラメータを設定する。したがって、カーソル５２が第４９位置Ｐ４９から第６５位置Ｐ６５へと時計周りに移動すると、表示部１７に表示されるスルー画は、第４画像処理のみを施した状態から第１画像処理のみを施した状態へと変化する。このとき、表示部１７に表示されるスルー画は、第４画像処理のみを施した状態から第１画像処理のみを施した状態へ１５段階で徐々に遷移するようになっている。すなわち、カーソル５２が第５０位置から第６４位置にある間、画像処理部１４ａは、第４画像処理および第１画像処理の両方を行う（すなわち第４画像処理および第１画像処理を重ねがけする）ように画像処理パラメータを設定する。このとき画像処理部１４ａは、カーソル５２が第４９位置Ｐ４９に近いほど第４画像処理の比率を高くして第１画像処理の比率を低くし、カーソル５２が第６５位置Ｐ６５に近いほど第１画像処理の比率を高くして第４画像処理の比率を低くするように第４画像処理パラメータを設定する。
【００３６】
また、カーソル５２が第６５位置Ｐ６５から第０位置Ｐ０へと時計周りに移動すると、表示部１７に表示されるスルー画は、第１画像処理のみ施した状態から元画像の状態へと戻る。
【００３７】
このように、カーソル５２が第０位置Ｐ０から時計周りに１回転すると、撮像画像に施される画像処理が、元画像から、第１画像処理、第２画像処理、第３画像処理、第４画像処理の順で連続的に変更された後、再度第１画像処理に戻って、元画像に戻る。なお、カーソル５２が反時計回りに１回転する場合は、撮像画像に施される画像処理は、上述した
時計周りに１回転する場合と逆の順で変化する。また、必ずしもカーソル５２が１回転しなくてもよく、たとえば、カーソル５２が時計周りに半周回転した後に反時計回りに移動して、画像処理の変化を戻すことも可能となっている。
【００３８】
このようにデジタルカメラ１では、パラメータ設定画像５０Ａに対するカーソル５２の位置を移動させることにより、撮像画像に施す画像処理について、第１画像処理〜第４画像処理のうち、どの画像処理をどれくらいの比率で行うかを変更することができる。
【００３９】
次に、パラメータ設定画像５０Ａに設定される第１画像処理〜第４画像処理の内容について、詳しく説明する。なお、本説明において、画像処理には、たとえば彩度やコントラスト、ホワイトバランスなどのパラメータを変えることで画作りを行う処理や、たとえばフィルタをかけてぼかしたり周辺を暗くしてトイカメラ風にしたりするなど画像効果をかける処理が含まれるとする。クリエイティブモードでは、撮影シーンを判別するシーン判別処理を行い、判別した撮影シーンに応じた４つの画像処理を、第１画像処理〜第４画像処理としてパラメータ設定画像５０Ａに設定するようになっている。すなわち、判別される撮影シーンによって、パラメータ設定画像５０Ａに設定される第１画像処理〜第４画像処理の内容が異なっている。
【００４０】
判別される撮影シーンとしては、人物を撮影するシーンである「ポートレート」、被写体に接近して撮影するシーンである「接写」、風景を撮影するシーンである「風景」、「ポートレート」、「接写」、「風景」のいずれでもないシーンである「その他」の４種類である。なお、判別される撮影シーンの種類は一例であり、この他種々の撮影シーンを判別してもよい。撮影シーンの判別方法は、公知の方法を用いるものとする。制御部１４は、たとえば、撮像素子１２からの画像信号に基づく情報（輝度や色バランス（Ｒ／Ｇ比、Ｂ／Ｇ比）など）や、カメラ設定情報（撮像光学系１１の焦点距離や撮影倍率など）に基づいて撮影シーンを判別する。
【００４１】
図５は、撮影シーンに応じた第１画像処理〜第４画像処理の組合せを説明する図である。デジタルカメラ１では、撮影シーンごとに、それぞれの撮影シーンに適した４種類の画像処理が第１画像処理〜第４画像処理として予め設定されている。たとえば、撮影シーン「人物」用のパラメータ設定画像５０ｐには、第１画像処理として「ポートレート」、第２画像処理として「モノクローム」、第３画像処理として「ハイキー」、第４画像処理として「クロスプロセス（Ｒ）」が設定される。撮影シーン「接写」用のパラメータ設定画像５０ｎには、第１画像処理として「ビビッド」、第２画像処理として「ハイキー」、第３画像処理として「トイカメラ」、第４画像処理として「セレクトカラー」が設定される。撮影シーン「風景」用のパラメータ設定画像５０ｇには、第１画像処理として「クロスプロセス（Ｂ）」、第２画像処理として「風景」、第３画像処理として「フィルターモノクロ（セピア）」、第４画像処理として「アヴァンギャルド」が設定される。撮影シーン「その他」用のパラメータ設定画像５０ｓには、第１画像処理として「アヴァンギャルド」、第２画像処理として「モノクローム」、第３画像処理として「トイカメラ」、第４画像処理として「クロスプロセス（Ｇ）」が設定される。なお、図５では説明のため、撮影シーンおよび第１画像処理〜第４画像処理の内容を示すテキストを記載しているが、実際の表示部１７の表示画面では、当該テキストは表示されず、パラメータ設定画像５０Ａとカーソル５２のみが表示される。すなわち、パラメータ設定画像５０ｐ、５０ｎ、５０ｇ、５０ｓは、表示部１７の表示画面ではどの撮影シーンでも同じ画像として（すなわち同じ表示内容で）表示される。
【００４２】
「ポートレート」は、人物の肌をきれいに見せる画作りを行うための画像処理である。「モノクローム」は、白黒の濃淡のみの画作りを行うための画像処理である。「ハイキー」は、画面全体が明るく陰影の少ない画作りを行うための画像処理である。「クロスプロセス（Ｒ）」、「クロスプロセス（Ｇ）」、および「クロスプロセス（Ｂ）」は、クロスプロセス（ポジフィルムを使いネガ用の現像を行う銀塩写真の手法）を行ったような画像
効果を得るための画像処理である。なお、「クロスプロセス（Ｒ）」では赤みの強い画像が得られ、「クロスプロセス（Ｇ）」では緑みの強い画像が得られ、「クロスプロセス（Ｂ）」では青みの強い画像が得られる。「ビビッド」は、コントラストが強調された色鮮やかな画作りを行うための画像処理である。「トイカメラ」は、トイカメラで撮影したような画像効果を得るための画像処理である。「セレクトカラー」は、特定の色だけを残してその他をモノクロに変化した画像効果を得るための画像処理である。「風景」は、自然や街並みなどの景観に適した画作りを行うための画像処理である。「フィルターモノクロ（セピア）」は、セピア色の濃淡のみの画作りを行うための画像処理である。「アヴァンギャルド」は、「ビビッド」よりもさらにコントラストと彩度を上げて独特の画作りを行うための画像処理である。
【００４３】
なお、パラメータ設定画像５０Ａに第１画像処理〜第４画像処理として設定する画像処理の組合せの情報は撮影シーンごとにデジタルカメラ１内のメモリに予め記憶されており、この情報とシーン判別結果に基づいて、第１画像処理〜第４画像処理がパラメータ設定画像５０に設定される。
【００４４】
（音声処理パラメータの設定）
次に、パラメータ設定画像５０が音声処理パラメータを設定するためのＵＩとして機能する場合について説明する。図２に示した初期画面において、ユーザにより「音声」ボタン７０がタップされると、制御部１４は、音声処理パラメータを簡易に設定するための簡易設定モードとなり、図６に示す簡易設定画面を表示部１７に表示する。簡易設定画面では、音声処理パラメータを簡易設定するためのパラメータ設定画像５０Ｂが表示される。パラメータ設定画像５０Ｂは、初期画面と同様に、リングパターン５１とカーソル５２とを有している。また、簡易設定画面では、「詳細設定」ボタン８０と「ＯＫ」ボタン９０とが画面右端に表示される。
【００４５】
パラメータ設定画像５０Ｂでは、図６に示すように、パラメータ設定画像５０の頂点位置Ｍ０を第０位置とし、第０位置から時計周りにパラメータ設定画像５０Ｂを６等分する６箇所の位置（第０位置Ｍ０〜第５位置Ｍ５）が設定され、その位置を示す目盛が表示される。第０位置Ｍ０の近傍には「ＯＦＦ」が表示される。第１位置Ｍ１〜第５位置Ｍ５の近傍には、それぞれに対応する撮影シーンの名前（「子供」、「会議」、「屋内イベント」、「屋外イベント」、「コンサート」）が表示される。簡易設定画面は、最初はカーソル５２が第０位置（「ＯＦＦ」）Ｍ０に表示された状態で表示される。
【００４６】
ユーザによりカーソル５２が第１位置Ｍ１〜第５位置Ｍ５のいずれかの位置に移動されると、音声信号処理部１４ｂは、カーソル５２の位置に対応した撮影シーンに適した音響特性で録音が行われるように音声処理パラメータを設定する。そして音声信号処理部１４ｂは、マイク１９から入力された音声信号に対して当該音声処理パラメータを用いて音声信号処理を行うように、音声コーデック部１８を制御する。これにより、マイク１９から入力された音声信号に対し、撮影シーンに適した音響特性となるように音声信号処理が行われる。なお、カーソル５２が第０位置Ｍ０にある場合は、簡易設定モードは「ＯＦＦ」となり、後述する詳細設定モードにおいてユーザ操作に応じて音声処理パラメータを設定するようになっている。
【００４７】
本実施形態では、音声処理パラメータとして、「ノイズカット」、「臨場感」、「ＷＩＮＤ  ＣＵＴ」の３種類の音声処理パラメータが設けられている。「ノイズカット」は、音声信号に含まれるノイズをカット（除去）するノイズカット処理で用いる音声処理パラメータである。「臨場感」は、音声信号のステレオ感を強調するステレオ感強調処理で用いる音声処理パラメータである。「ＷＩＮＤ  ＣＵＴ」は、音声信号の風切音をカット（除去する）する風切音カット処理で用いる音声処理パラメータである。この３種類の音声処理パラメータは、上述した各撮影シーンごとに予め設定され、デジタルカメラ１のメモリに記憶されている。たとえば、撮影シーン「コンサート」に対しては、「臨場感」の音声処理パラメータが大きく設定されている（すなわち、よりステレオ感が強調されるようになっている）。また、たとえば、撮影シーン「屋外イベント」では、「ＷＩＮＤ  ＣＵＴ」の音声処理パラメータが大きく設定されている（すなわち、より風切音がカットされるようになっている）。
【００４８】
また、音声処理パラメータは、上記３種類のパラメータ以外にも、適宜撮影シーンに合わせて設定されている。たとえば、撮影シーン「子供」では、子供の声を強調するため、一般的な子供の声の周波数を中心とした周波数帯域のみを残し、これ以外の周波数帯域をカットする音声信号処理を行うように音声処理パラメータが設定されている。
【００４９】
なお、各撮影シーンに適した音響特性に対応する音声処理パラメータについては、デジタルカメラ１内のメモリに予め記憶されており、音声信号処理部１４ｂは、当該メモリから適宜撮影シーンに対応する音声処理パラメータを読み出すようになっている。
【００５０】
以上のようにデジタルカメラ１では、ユーザがパラメータ設定画像５０Ｂ上でカーソル５２を移動させて撮影シーンを選択するだけで、それぞれの撮影シーンに適した音声処理パラメータを簡単に設定でき、それぞれの撮影シーンに適した音響特性で録音を行うことができる。
【００５１】
簡易設定画面において、音声処理パラメータを現在の設定値で確定したい場合は、「ＯＫ」ボタン９０をタップする。すると、制御部１４は、音声処理パラメータを現在の設定値で確定とし、表示画面を図２に示した初期画面に戻す。
【００５２】
また、ユーザは、予め記憶された音声処理パラメータではなく、「ノイズカット」、「臨場感」、「ＷＩＮＤ  ＣＵＴ」のそれぞれの音声処理パラメータを自由に設定したい場合も考えられる。このような場合は、ユーザは、図６に示す簡易設定画面において、パラメータ設定画像５０のカーソル５２を第０位置（「ＯＦＦ」）Ｍ０から移動せず、「詳細設定」ボタン８０をタップする。すると、制御部１４は、音声処理パラメータを詳細に設定するための詳細設定モードとなり、図７に示す音声処理パラメータ選択画面を表示部１７に表示する。音声処理パラメータ選択画面では、画面中央に、「ノイズカット」ボタン１００、「臨場感」ボタン１１０、「ＷＩＮＤ  ＣＵＴ」ボタン１２０が並んで表示され、画面右端に「戻る」ボタン１３０と「終了」ボタン１４０とが表示されている。
【００５３】
ユーザにより「ノイズカット」ボタン１００がタップされると、制御部１４は、図８に示すように、「ノイズカット」の音声処理パラメータを設定するためのノイズカット設定画面を表示部１７に表示する。ノイズカット設定画面では、「ノイズカット」の音声処理パラメータを設定するためのパラメータ設定画像５０Ｃが表示される。パラメータ設定画像５０Ｃは、初期画面と同様に、リングパターン５１とカーソル５２とを有している。また、ノイズカット設定画面では、画面右端に「戻る」ボタン１５０と「ＯＫ」ボタン１６０とが表示される。
【００５４】
本実施形態において「ノイズカット」の音声処理パラメータとは、ノイズカット用の高域カットオフ周波数である。音声コーデック部１８は、マイク１９から入力された音声信号に対し、ノイズカット用の高域カットオフ周波数よりも高域の周波数成分を除去し、これよりも低域の周波数成分のみを抽出するローパスフィルタ処理を行うことで、ノイズをカットする。
【００５５】
図９は、ノイズカット用の高域カットオフ周波数の可変範囲を説明するグラフである。図９に示すグラフにおいて、横軸は周波数であり、縦軸はゲインである。パラメータ設定画像５０Ｃのカーソル５２を移動することで、ノイズカット用の高域カットオフ周波数は、最小値ｆｈａから最大値ｆｈｂの範囲ｆｈｘで変更可能となっている。
【００５６】
図８に示すノイズカット設定画面は、最初はパラメータ設定画像５０Ｃのカーソル５２が頂点位置Ｎ１に表示された状態で表示される。音声信号処理部１４ｂは、カーソル５２が頂点位置Ｎ１にある場合には、ノイズカット用の高域カットオフ周波数を基準値ｆｈｃ（最小値ｆｈａと最大値ｆｈｂの平均値）に設定する。カーソル５２が頂点位置Ｎ１から時計周りに移動されると、音声信号処理部１４ｂは、ノイズカット用の高域カットオフ周波数を基準値ｆｈｃから最大値ｆｈｂに向かって段階的に高くする。そしてカーソル５２がパラメータ設定画像５０の下端位置（頂点位置Ｎ１から１８０度離れた位置）Ｎ２まで移動したとき、音声信号処理部１４ｂは、ノイズカット用の高域カットオフ周波数を最大値ｆｈｂに設定する。さらにカーソル５２が下端位置Ｎ２を超えて時計周りに移動する場合は、音声信号処理部１４ｂは、ノイズカット用の高域カットオフ周波数を最小値ｆｈａから基準値ｆｈｃに向かって段階的に高くする。
【００５７】
一方、カーソル５２が頂点位置Ｎ１から反時計周りに移動されると、音声信号処理部１４ｂは、ノイズカット用の高域カットオフ周波数を基準値ｆｈｃから最小値ｆｈａに向かって段階的に低くする。そしてカーソル５２が下端位置Ｎ２まで移動したとき、音声信号処理部１４ｂは、ノイズカット用の高域カットオフ周波数を最小値ｆｈａに設定する。さらにカーソル５２が下端位置Ｎ２を超えて反時計周りに移動する場合は、音声信号処理部１４ｂは、高域のカットオフ周波数を最大値ｆｈｂから基準値ｆｈｃに向かって段階的に低くする。
【００５８】
このように図８に示すノイズカット設定画面では、ユーザがパラメータ設定画像５０Ｃ上でカーソル５２を移動させることで、マイク１９から入力された音声信号における「ノイズカット」の音声処理パラメータ、すなわちノイズカット用の高域カットオフ周波数を自由に設定することができる。
【００５９】
ノイズカット設定画面において、ノイズカット用の高域カットオフ周波数を現在の設定値で確定したい場合は、ユーザは、ノイズカット設定画面のパラメータ設定画像５０Ｃ以外の箇所をタップするか、または「ＯＫ」ボタン１６０をタップする。すると、制御部１４は、ノイズカット用の高域カットオフ周波数を現在の設定値で確定とし、表示画面を図７に示した音声処理パラメータ選択画面に戻す。また、ユーザにより「戻る」ボタン１５０がタップされた場合には、制御部１４は、ノイズカット用の高域カット周波数を確定せずに、表示画面を図７に示した音声処理パラメータ選択画面に戻す。
【００６０】
また、図７に示した音声処理パラメータ選択画面において、ユーザにより「臨場感」ボタン１１０がタップされると、制御部１４は、図１０に示すように「臨場感」の音声処理パラメータを設定するための臨場感設定画面を表示部１７に表示する。臨場感設定画面には、「臨場感」の音声処理パラメータを設定するためのパラメータ設定画像５０Ｄが表示される。パラメータ設定画像５０Ｄは、初期画面と同様に、リングパターン５１とカーソル５２とを有している。また、図１０の臨場感設定画面では、図８のノイズカット設定画面と同様に、画面右端に「戻る」ボタン１５０と「ＯＫ」ボタン１６０とが表示される。
【００６１】
上述したように「臨場感」は、音声信号のステレオ感を強調するための音声処理パラメータである。ここで、音声コーデック部１８が備えるステレオ感強調回路２００の一例を図１１に示す。ステレオ感強調回路２００は、入力されたＬチャンネルの音声信号（Lch in）およびＲチャンネルの音声信号（Rch in）のそれぞれに対し、他方のチャンネルの音声信号を逆相にして特有な周波数帯域を抽出し適切なゲイン設定を行って足しこむように構成されている。これにより、ステレオ感強調回路２００から出力されるＬチャンネルの音声信号（Lch Out）およびＲチャンネルの音声信号（Rch Out）において、ＬチャンネルおよびＲチャンネルの特有な周波数帯域がそれぞれ強調されることで、ステレオ感が強調される。一例としてステレオ感強調回路２００では、簡易的に、第１ハイパスフィルタ２１０および第２ハイパスフィルタ２２０によってＬチャンネルおよびＲチャンネルの音声信号のそれぞれから高域の周波数成分を位相反転して抽出し、適切なゲイン設定を行って、他方のチャンネルの音声信号に足しこむようになっている。
【００６２】
このようにステレオ感強調回路２００においては、「位相」、「ゲイン」、「周波数帯域」などいくつものパラメータが存在するが、ここでは、一例として、パラメータ設定画像５０Ｄを用いて可変させるパラメータを、第１ハイパスフィルタ２１０および第２ハイパスフィルタ２２０による低域カットオフ周波数とする。しかしながら、複数のパラメータをそれぞれ可変させる構成にすることも可能である。
【００６３】
図１２は、第１ハイパスフィルタ２１０および第２ハイパスフィルタ２２０による低域カットオフ周波数（すなわちステレオ感強調用の低域カットオフ周波数）の可変範囲を説明するグラフである。図１２に示すグラフにおいて、横軸は周波数であり、縦軸はゲインである。パラメータ設定画像５０Ｄのカーソル５２を移動することで、ステレオ感強調用の低域カットオフ周波数は、最小値ｆｓａから最大値ｆｓｂの範囲ｆｓｘで変更可能となっている。
【００６４】
図１０に示す臨場感設定画面は、最初はパラメータ設定画像５０のカーソル５２が頂点位置Ｎ１に表示された状態で表示される。音声信号処理部１４ｂは、カーソル５２が頂点位置Ｎ１にある場合には、ステレオ感強調用の低域カットオフ周波数を基準値ｆｓｃ（最小値ｆｓａと最大値ｆｓｂの平均値）に設定する。カーソル５２が頂点位置Ｎ１から時計周りに移動されると、音声信号処理部１４ｂは、ステレオ感強調用の低域カットオフ周波数を基準値ｆｓｃから最大値ｆｓｂに向かって段階的に高くする。そしてカーソル５２が下端位置Ｎ２まで移動したとき、音声信号処理部１４ｂは、ステレオ感強調用の低域カットオフ周波数を最大値ｆｓｂに設定する。さらにカーソル５２が下端位置Ｎ２を超えて時計周りに移動する場合は、音声信号処理部１４ｂは、ステレオ感強調用の低域カットオフ周波数を最小値ｆｓａから基準値ｆｓｃに向かって段階的に高くする。
【００６５】
一方、カーソル５２が頂点位置Ｎ１から反時計周りに移動されると、音声信号処理部１４ｂは、ステレオ感強調用の低域カットオフ周波数を基準値ｆｓｃから最小値ｆｓａに向かって段階的に低くする。そしてカーソル５２が下端位置Ｎ２まで移動したとき、音声信号処理部１４ｂは、ステレオ感強調用の低域カットオフ周波数を最小値ｆｓａに設定する。さらにカーソル５２が下端位置Ｎ２を超えて反時計周りに移動する場合は、音声信号処理部１４ｂは、ステレオ感強調用の低域カットオフ周波数を最大値ｆｓｂから基準値ｆｓｃに向かって段階的に低くする。
【００６６】
このように図１０に示す臨場感設定画面では、ユーザがパラメータ設定画像５０上でカーソル５２を移動させることで、マイク１９から入力された音声信号における「臨場感」の音声処理パラメータ、すなわちステレオ感強調用の低域カットオフ周波数を自由に設定することができる。
【００６７】
臨場感設定画面において、ステレオ感強調用の低域カットオフ周波数を現在の設定値で確定したい場合は、ユーザは、臨場感設定画面のパラメータ設定画像５０以外の箇所をタップするか、または「ＯＫ」ボタン１６０をタップする。すると、制御部１４は、ステレオ感強調用の低域カットオフ周波数を現在の設定値で確定とし、表示画面を図７に示した音声処理パラメータ選択画面に戻す。また、ユーザにより「戻る」ボタン１５０がタップされた場合には、制御部１４は、ステレオ感強調用の低域カット周波数を確定せずに、表示画面を図７に示した音声処理パラメータ選択画面に戻す。
【００６８】
また、図７に示す音声処理パラメータ選択画面において、ユーザにより「ＷＩＮＤ  ＣＵＴ」ボタン１２０がタップされると、制御部１４は、図１３に示すように、「ＷＩＮＤ  ＣＵＴ」の音声処理パラメータを設定するためのＷＩＮＤＣＵＴ設定画面を表示する。ＷＩＮＤＣＵＴ設定画面では、画面中央に「ＷＩＮＤ  ＣＵＴ」の音声処理パラメータを設定するためのパラメータ設定画像５０Ｅが表示される。また、図１３に示すＷＩＮＤＣＵＴ設定画面では、図８に示したノイズカット設定画面と同様に、画面右端に「戻る」ボタン１５０と「ＯＫ」ボタン１６０とが表示される。
【００６９】
本実施形態において「ＷＩＮＤ  ＣＵＴ」のパラメータとは、風切音カット用の低域カットオフ周波数である。音声コーデック部１８は、マイク１９から入力された音声信号に対し、風切音カット用の低域カットオフ周波数よりも低域の周波数成分を除去し、これよりも高域の周波数成分部分のみを抽出するハイパスフィルタ処理を行うことで、風切音をカットする。
【００７０】
図１４は、風切音カット用の低域カットオフ周波数の可変範囲を説明するグラフである。図１４に示すグラフにおいて、横軸は周波数であり、縦軸はゲインである。パラメータ設定画像５０Ｅのカーソル５２を移動することで、風切音カット用の低域カットオフ周波数は、最小値ｆｌａから最大値ｆｌｂの範囲ｆｌｘで変更可能となっている。
【００７１】
図１３に示すＷＩＮＤＣＵＴ設定画面は、最初はパラメータ設定画像５０Ｅのカーソル５２が頂点位置Ｎ１に表示された状態で表示される。音声信号処理部１４ｂは、カーソル５２が頂点位置Ｎ１にある場合には、風切音カット用の低域カットオフ周波数を基準値ｆｌｃ（最小値ｆｌａと最大値ｆｌｂの平均値）に設定する。カーソル５２が頂点位置Ｎ１から時計周りに移動されると、音声信号処理部１４ｂは、風切音カット用の低域カットオフ周波数を基準値ｆｌｃから最大値ｆｌｂに向かって段階的に高くする。そしてカーソル５２が下端位置Ｎ２まで移動したとき、音声信号処理部１４ｂは、風切音カット用の低域カットオフ周波数を最大値ｆｌｂに設定する。さらにカーソル５２が下端位置Ｎ２を超えて時計周りに移動する場合は、音声信号処理部１４ｂは、風切音カット用の低域カットオフ周波数を最小値ｆｌａから基準値ｆｌｃに向かって段階的に高くする。
【００７２】
一方、カーソル５２が頂点位置Ｎ２から反時計周りに移動されると、音声信号処理部１４ｂは、風切音カット用の低域カットオフ周波数を基準値ｆｌｃから最小値ｆｌａに向かって段階的に低くする。そしてカーソル５２が下端位置Ｎ２まで移動したとき、音声信号処理部１４ｂは、風切音カット用の低域カットオフ周波数を最小値ｆｌａに設定する。さらにカーソル５２が下端位置Ｎ２を超えて反時計周りに移動する場合は、音声信号処理部１４ｂは、風切音カット用の低域カットオフ周波数を最大値ｆｌｂから基準値ｆｌｃに向かって段階的に低くする。
【００７３】
このように図１３に示すＷＩＮＤＣＵＴ設定画面では、ユーザがパラメータ設定画像５０Ｅ上でカーソル５２を移動させることで、マイク１９から入力された音声信号における「ＷＩＮＤ  ＣＵＴ」の音声処理パラメータ、すなわち風切音カット用の低域カットオフ周波数を自由に設定することができる。
【００７４】
ＷＩＮＤＣＵＴ設定画面において、風切音カット用の低域カットオフ周波数を現在の設定値で確定したい場合は、ユーザは、ＷＩＮＤＣＵＴ設定画面のパラメータ設定画像５０以外の箇所をタップするか、または「ＯＫ」ボタン１６０をタップする。すると、制御部１４は、ＷＩＮＤＣＵＴ用の低域カットオフ周波数を現在の設定値で確定とし、表示画面を図７に示した音声処理パラメータ選択画面に戻す。また、ユーザにより「戻る」ボタン１５０がタップされた場合には、制御部１４は、風切音カット用の低域カット周波数を確定せずに、表示画面を図７に示した音声処理パラメータ選択画面に戻す。
【００７５】
また、ユーザにより、図７に示す音声処理パラメータ選択画面において「戻る」ボタン１３０がタップされると、制御部１４は、表示画面を図６に示す簡易設定画面に戻す。一方、ユーザにより、図７に示す音声処理パラメータ選択画面において「終了」ボタン１４０がタップされると、制御部１４は、音声処理パラメータの設定を終了し、表示画面を図２に示す初期画面に戻す。
【００７６】
以上説明したようにパラメータ設定画像５０が音声処理パラメータを設定するためのＵＩとして機能する際、マイク１９から入力され音声コーデック部１８で音声信号処理が行われた音声信号は、上述したように通信部２０によって携帯端末３０に送信され、ヘッドホンによってモニタリングすることができる。したがって、ユーザは、パラメータ設定画像５０上でカーソル５２を移動させて音声処理パラメータを変更することで、録音される音声信号の音響特性がどのように変わるのかをモニタリングして、好みの音響特性を実現する音声処理パラメータを設定することができる。
【００７７】
次に、上述したクリエイティブモードにおいて、制御部１４が実行する処理の流れを図１５に示すフローチャートを用いて説明する。デジタルカメラ１がクリエイティブモードに設定されると、制御部１４は、初期画面（図２）を表示部１７に表示し、図１５に示す処理を開始する。
【００７８】
ステップＳ１において、制御部１４は、初期画面において「画像」ボタン６０がタップされたか否かを判定する。制御部１４は、「画像」ボタン６０がタップされると、ステップＳ１を肯定判定してステップＳ２に進む。一方、制御部１４は、「画像」ボタン６０がタップされない場合はステップＳ１を否定判定してステップＳ４に進む。
【００７９】
ステップＳ２において、制御部１４は、上述したように、画像処理パラメータを設定するためのパラメータ設定画像５０を表示部１７に表示し、画像処理部１４ａは、パラメータ設定画像５０に対するユーザ操作に応じて画像処理パラメータを設定する。
【００８０】
ステップＳ３において、画像処理部１４ａは、撮像画像に対して、ステップＳ２で設定した画像処理パラメータを用いた画像処理を行って、ステップＳ４に進む。
【００８１】
ステップＳ４において、制御部１４は、初期画面において「音声」ボタン７０がタップされたか否かを判定する。制御部１４は、「音声」ボタン７０がタップされると、ステップＳ４を肯定判定してステップＳ５に進む。一方、制御部１４は、「音声」ボタン７０がタップされない場合はステップＳ４を否定判定してステップＳ７に進む。
【００８２】
ステップＳ５において、制御部１４は、上述したように音声処理パラメータを設定するためのパラメータ設定画像５０を表示部１７に表示し、音声信号処理部１４ｂは、パラメータ設定画像５０に対するユーザ操作に応じて音声処理パラメータを設定する。
【００８３】
ステップＳ６において、音声信号処理部１４ｂは、マイク１９から入力された音声信号に対してステップＳ５で設定した音声処理パラメータを用いて音声信号処理を行うように、音声コーデック部１８を制御して、ステップＳ７に進む。
【００８４】
ステップＳ７において、制御部１４は、録画ボタンが押下されたか否かを判定する。録画ボタンが押下されていない場合は、制御部１４は、ステップＳ７を否定判定してステップＳ１に戻る。すなわち、制御部１４は、録画ボタンが押下されるまでは、ステップＳ１〜Ｓ６の処理を繰り返し行う。一方、録画ボタンが押下された場合には、制御部１４は、ステップＳ７を肯定判定し、ステップＳ８へ進む。
【００８５】
ステップＳ８において、制御部１４は、動画および音声を記録する動画撮影処理を開始する。このとき制御部１４は、ステップＳ２で設定された画像処理パラメータを用いた画像処理が行われた動画を記録していくと共に、ステップＳ５で設定された音声処理パラメータを用いた音声信号処理が行われた音声を記録していく。
【００８６】
ステップＳ９において、制御部１４は、録画ボタンが押下されたか否かを判定する。録画ボタンが押下されていない場合は、制御部１４は、ステップＳ９を否定判定してステップＳ９の判定処理を繰り返す。一方、録画ボタンが押下された場合には、制御部１４は、ステップＳ９を肯定判定し、ステップＳ１０へ進む。
【００８７】
ステップＳ１０において、制御部１４は、動画撮影処理を終了し、記録された動画データおよび音声データを動画ファイルとして記録媒体２１に記録し、図１５の処理を終了する。
【００８８】
次に、上述した図１５のステップＳ５において音声処理パラメータを設定する処理の流れを図１６および図１７に示すフローチャートを用いて説明する。初期画面において「音声」ボタン７０がタップされると、制御部１４は、図１６および図１７に示す処理を開始する。
【００８９】
ステップＳ１０１において、制御部１４は、簡易設定モードとなり、簡易設定画面（図６）を表示部１７に表示して、音声処理パラメータを簡易設定するためのパラメータ設定画像５０Ｂを表示する。音声信号処理部１４ｂは、簡易設定画面において、ユーザによりパラメータ設定画像５０Ｂのカーソル５２が移動されて撮影シーンが選択されると、選択された撮影シーンに対応する音声処理パラメータ（「ノイズカット」、「臨場感」、「ＷＩＮＤ  ＣＵＴ」など）を設定する。
【００９０】
ステップＳ１０２において制御部１４は、簡易設定画面で「詳細」ボタン８０または「ＯＫ」ボタン９０のどちらがタップされたかを判定する。制御部１４は、「詳細」ボタン８０がタップされた場合はステップＳ１０３へ進み、詳細設定モードに切り替わる。一方、制御部１４は、「ＯＫ」ボタン９０がタップされた場合は音声処理パラメータを確定し、図１６および図１７の処理を終了する。
【００９１】
ステップＳ１０３において制御部１４は、音声処理パラメータ選択画面（図７）を表示部１７に表示する。そして制御部１４は、音声処理パラメータ選択画面で、「ノイズカット」ボタン１００、「臨場感」ボタン１１０、「ＷＩＮＤ  ＣＵＴ」ボタン１２０、「戻る」ボタン１３０、「ＯＫ」ボタン１４０のいずれがタップされたかを判定する。制御部１４は、「ノイズカット」ボタン１００がタップされた場合はステップＳ１０４（図１７）へ進み、「臨場感」ボタン１１０がタップされた場合はステップＳ１１０（図１７）へ進み、「ＷＩＮＤ  ＣＵＴ」ボタン１２０がタップされた場合はステップＳ１１６（図１７）へ進む。また、制御部１４は、「戻る」ボタン１３０がタップされた場合にはステップＳ１０１に戻り、「終了」ボタン１４０がタップされた場合には、図１６および図１７に示す処理を終了する。
【００９２】
図１７のステップＳ１０４において制御部１４は、ノイズカット設定画面（図８）を表示部１７に表示し、「ノイズカット」の音声処理パラメータを設定するためのパラメータ設定画像５０Ｃを表示させる。
【００９３】
ステップＳ１０５において制御部１４は、ノイズカット設定画面のパラメータ設定画像５０Ｃ上でカーソル５２が時計周りに移動されたか否かを判定する。制御部１４は、カーソル５２が時計周りに移動された場合はステップＳ１０５を肯定判定してステップＳ１０６へ進み、これ以外の場合はステップＳ１０５を否定判定してステップＳ１０７へ進む。
【００９４】
ステップＳ１０６において制御部１４は、上述したように、カーソル５２の移動に応じてノイズカット用の高域カットオフ周波数を高くし、ステップＳ１０９へ進む。
【００９５】
ステップＳ１０７において制御部１４は、ノイズカット設定画面のパラメータ設定画像５０Ｃ上でカーソル５２が反時計周りに移動されたか否かを判定する。制御部１４は、カーソル５２が時計周りに移動された場合はステップＳ１０７を肯定判定してステップＳ１０８へ進み、これ以外の場合はステップＳ１０７を否定判定してステップＳ１０９へ進む。
【００９６】
ステップＳ１０８において制御部１４は、上述したように、カーソル５２の移動に応じてノイズカット用の高域カットオフ周波数を低くし、ステップＳ１０９へ進む。
【００９７】
ステップＳ１０９において制御部１４は、音声処理パラメータを確定する操作（パラメータ設定画像５０以外の箇所をタップ、または「ＯＫ」ボタン１６０をタップ）が行われたか否かを判定する。制御部１４は、上記操作が行われた場合はステップＳ１０９を肯定判定し、「ノイズカット」の音声処理パラメータを確定してステップＳ１０３（図１６）に戻り、上記操作が行われない場合はステップＳ１０９を否定判定してステップＳ１０５に戻る。
【００９８】
一方、「臨場感」ボタン１１０がタップされた場合に進むステップＳ１１０において、制御部１４は、臨場感設定画面（図１０）を表示部１７に表示し、「臨場感」の音声処理パラメータを設定するためのパラメータ設定画像５０Ｄを表示する。
【００９９】
ステップＳ１１１において制御部１４は、臨場感設定画面のパラメータ設定画像５０Ｄ上でカーソル５２が時計周りに移動されたか否かを判定する。制御部１４は、カーソル５２が時計周りに移動された場合はステップＳ１１１を肯定判定してステップＳ１１２へ進み、これ以外の場合はステップＳ１１１を否定判定してステップＳ１１３へ進む。
【０１００】
ステップＳ１１２において制御部１４は、上述したように、カーソル５２の移動に応じてステレオ感強調用の低域カットオフ周波数を高くし、ステップＳ１１５へ進む。
【０１０１】
ステップＳ１１３において制御部１４は、臨場感設定画面のパラメータ設定画像５０Ｄ上でカーソル５２が反時計周りに移動されたか否かを判定する。制御部１４は、カーソル５２が反時計周りに移動された場合はステップＳ１１３を肯定判定してステップＳ１１４へ進み、これ以外の場合はステップＳ１１３を否定判定してステップＳ１１５へ進む。
【０１０２】
ステップＳ１１４において制御部１４は、上述したように、カーソル５２の移動に応じてステレオ感強調用の低域カットオフ周波数を低くし、ステップＳ１１５へ進む。
【０１０３】
ステップＳ１１５において制御部１４は、音声処理パラメータを確定する操作（パラメータ設定画像５０以外の箇所をタップ、または「ＯＫ」ボタン１６０をタップ）が行われたか否かを判定する。制御部１４は、上記操作が行われた場合はステップＳ１１５を肯定判定し、「臨場感」の音声処理パラメータを確定してステップＳ１０３（図１６）に戻り、上記操作が行われない場合はステップＳ１１５を否定判定してステップＳ１１１に戻る。
【０１０４】
一方、「ＷＩＮＤ  ＣＵＴ」ボタン１２０がタップされた場合に進むステップＳ１１６において、制御部１４は、ＷＩＮＤＣＵＴ設定画面（図１３）を表示部１７に表示し、「ＷＩＮＤ  ＣＵＴ」の音声処理パラメータを設定するためのパラメータ設定画像５０Ｅを表示する。
【０１０５】
ステップＳ１１７において制御部１４は、ＷＩＮＤＣＵＴ設定画面のパラメータ設定画像５０Ｅ上でカーソル５２が時計周りに移動されたか否かを判定する。制御部１４は、カーソル５２が時計周りに移動された場合はステップＳ１１７を肯定判定してステップＳ１１８へ進み、これ以外の場合はステップＳ１１７を否定判定してステップＳ１１９へ進む。
【０１０６】
ステップＳ１１８において制御部１４は、上述したように、カーソル５２の移動に応じて風切音カット用の低域カットオフ周波数を高くし、ステップＳ１２１へ進む。
【０１０７】
ステップＳ１１９において制御部１４は、ＷＩＮＤＣＵＴ設定画面のパラメータ設定画像５０上でカーソル５２が反時計周りに移動されたか否かを判定する。制御部１４は、カーソル５２が反時計周りに移動された場合はステップＳ１１９を肯定判定してステップＳ１２０へ進み、これ以外の場合はステップＳ１１９を否定判定してステップＳ１２１へ進む。
【０１０８】
ステップＳ１２０において制御部１４は、上述したように、カーソル５２の移動に応じて風切音カット用の低域カットオフ周波数を低くし、ステップＳ１２１へ進む。
【０１０９】
ステップＳ１２１において制御部１４は、音声処理パラメータを確定する操作（パラメータ設定画像５０以外の箇所をタップ、または「ＯＫ」ボタン１６０をタップ）が行われたか否かを判定する。制御部１４は、上記操作が行われた場合はステップＳ１２１を肯定判定し、「ＷＩＮＤ  ＣＵＴ」の音声処理パラメータを確定してステップＳ１０３（図１６）に戻り、上記操作が行われない場合はステップＳ１２１を否定判定してステップＳ１１７に戻る。
【０１１０】
上述した実施の形態によれば、次の作用効果が得られる。
（１）デジタルカメラ１は、動画を撮影する際に、ユーザ操作に応じて画像処理パラメータを設定するためのパラメータ設定画像５０Ａを表示部１７に表示し、ユーザ操作に応じて音声処理パラメータを設定するためのパラメータ設定画像５０Ｂ〜５０Ｅを表示部１７に表示する。ここで、画像処理パラメータを設定するためのパラメータ設定画像５０Ａと、音声処理パラメータを設定するためのパラメータ設定画像５０Ｂ〜５０Ｅとは、それぞれ同一形状のパターン（リングパターン５１）を有し、リングパターン５１上でのカーソル５２の位置に応じて画像処理パラメータまたは音声処理パラメータが設定される。これにより、ユーザは、カーソル５２をリングパターン５１に沿って移動するという同じ操作で、画像処理パラメータについても音声処理パラメータについても任意の設定を行うことができるので、操作が容易である。すなわち、ユーザは、容易な操作で、記録される音声信号に対して行う音声信号処理のパラメータを任意に設定することができる。
【０１１１】
（２）また、デジタルカメラ１では、ユーザ操作により選択された位置の撮影シーンに応じて音声処理パラメータを設定するためのパラメータ設定画像５０Ｂを表示部１７に表示する。さらに、デジタルカメラ１では、ユーザ操作によりリングパターン５１上における選択位置が移動されるのに応じて音声処理パラメータの値（ノイズカット用の高域カットオフ周波数、ステレオ感強調用の低域カットオフ周波数、風切音カット用の低域カットオフ周波数）を段階的に変更するためのパラメータ設定画像５０Ｃ〜５０Ｅを表示部１７に表示する。これにより、ユーザは、所望に応じて、撮影シーンごとの音声処理パラメータを簡易的に設定することもできるし、音声処理パラメータの値を詳細に設定することもできる。また、パラメータ設定画像５０Ｂとパラメータ設定画像５０Ｃ〜５０Ｅは、それぞれ同一形状のパターン（リングパターン５１）を有し、リングパターン５１上でのカーソル５２の位置に応じて音声処理パラメータが設定される。これにより、ユーザは、カーソル５２をリングパターン５１に沿って移動するという同じ操作で、音声処理パラメータの簡易設定および詳細設定の両方を行うことができるので、操作が容易である。すなわち、ユーザは、容易な操作で、記録される音声信号に対して行う音声信号処理のパラメータを任意に設定することができる。
【０１１２】
（３）また、デジタルカメラ１において、通信部２０は、マイク１９から入力され音声コーデック部１８により音声信号処理が施された後の音声信号を外部の出力装置（携帯端末３０）に送信する。この結果、送信された音声信号が携帯端末３０のヘッドホン端子を介してヘッドホンへ出力される。これにより、機器の小型化のためヘッドホン端子等のアナログ音声出力端子が設けられていないデジタルカメラ１であっても、どのような音声が録音されているのかを、ユーザがヘッドホンによってモニタリングすることができる。
【０１１３】
次のような変形も本発明の範囲内であり、変形例の一つ、もしくは複数を上述の実施形態と組み合わせることも可能である。
（変形例１）
上述した実施の形態では、画像処理パラメータを設定するためのパラメータ設定画像５０Ａと音声処理パラメータを設定するためのパラメータ設定画像５０Ｂ〜５０Ｅとが同一形状のパターン（リングパターン５１）を有する例について説明した。しかしながら、これらは必ずしも同一形状のパターンを有していなくてもよく、少なくとも類似するパターンの形状を有していればよい。たとえば、パターンの大きさや太さ、色などは異なっていてもよい。
【０１１４】
（変形例２）
動画を撮影するモードにおいて、動画撮影前に（スルー画の表示中に）パラメータ設定画像５０を用いて画像処理パラメータや音声処理パラメータを設定する例について説明した。しかしながら、動画撮影中に、パラメータ設定画像５０を用いて画像処理パラメータや音声処理パラメータをリアルタイムで変更できるようにしてもよい。また、撮影した動画を再生する再生モードにおいて、再生している動画に施す画像処理のパラメータや再生している音声に施す音声信号処理のパラメータを、パラメータ設定画像５０を用いて変更できるようにしてもよい。
【０１１５】
（変形例３）
上述した実施の形態では、動画を撮影するモードにおいて、動画撮影前に（スルー画の表示中に）パラメータ設定画像５０を用いて画像処理パラメータや音声処理パラメータを設定する例について説明した。しかしながら、動画撮影中に、パラメータ設定画像５０を用いて画像処理パラメータや音声処理パラメータをリアルタイムで変更できるようにしてもよい。また、撮影した動画を再生する再生モードにおいて、再生している動画に施す画像処理のパラメータや再生している音声に施す音声信号処理のパラメータを、パラメータ設定画像５０を用いて変更できるようにしてもよい。
【０１１６】
（変形例４）
上述した実施の形態は一例であり、パラメータ設定画像５０を用いて設定を行える画像処理パラメータおよび音声処理パラメータは上述した例に限らない。
【０１１７】
（変形例５）
上述した実施の形態では、画像処理パラメータおよび音声処理パラメータを設定するための画像（ＵＩ）として、リングパターン５１を有するパラメータ設定画像５０を用いる例について説明した。しかしながら、画像処理パラメータおよび音声処理パラメータを設定するための画像は、リング形状に限らなくてもよく、たとえば、バー形状などであってもよい。この場合、制御部１４は、バー形状の画像上でカーソルを移動させ、当該カーソルの位置に応じて画像処理パラメータまたは音声処理パラメータを設定する。
【０１１８】
（変形例６）
上述した実施の形態では、デジタルカメラ１の制御部１４がメモリに記録されたプログラムを実行することで、上述した処理を行う例について説明した。このプログラムは、製品出荷時に予め記録されていてもよいし、製品出荷後、メモリカードなどの記録媒体やインターネットなどのデータ信号を通じて提供されてもよい。図１８はその様子を示す図である。デジタルカメラ１は、メモリカードなどの記録媒体２１を介してプログラムの提供を受ける。また、デジタルカメラ１は通信回線１０１との接続機能を有する。コンピュータ１０２は上記プログラムを提供するサーバコンピュータであり、ハードディスク１０３などの記録媒体にプログラムを格納する。通信回線１０１は、インターネット、パソコン通信などの通信回線、あるいは専用通信回線などである。コンピュータ１０２はハードディスク１０３を使用してプログラムを読み出し、通信回線１０１を介してプログラムをデジタルカメラ１に送信する。すなわち、プログラムをデータ信号として搬送波を介して、通信回線１０１を介して送信する。このように、プログラムは、記録媒体やデータ信号（搬送波）などの種々の形態のコンピュータ読み込み可能なコンピュータプログラム製品として供給できる。
【０１１９】
（変形例７）
上述した実施の形態では、デジタルカメラに本発明を適用する例について説明したが、これに限らなくてよい。たとえば携帯電話機、スマートフォン、タブレット端末などに本発明を施すようにしてもよい。
【０１２０】
上記では、種々の実施の形態および変形例を説明したが、本発明はこれらの内容に限定されるものではない。本発明の技術的思想の範囲内で考えられるその他の態様も本発明の範囲内に含まれる。
【符号の説明】
【０１２１】
１…デジタルカメラ、１１…撮像光学系、１２…撮像素子、１４…制御部、１４ａ…画像処理部、１４ｂ…音声信号処理部、１６…操作部材、１６ａ…タッチパネル、１７…表示部、１８…音声コーデック部、１９…マイク、２０…通信部、３０…携帯端末
【図１】
2015185904.tif 000003
【図２】
2015185904.tif 000004
【図３】
2015185904.tif 000005
【図４】
2015185904.tif 000006
【図５】
2015185904.tif 000007
【図６】
2015185904.tif 000008
【図７】
2015185904.tif 000009
【図８】
2015185904.tif 000010
【図９】
2015185904.tif 000011
【図１０】
2015185904.tif 000012
【図１１】
2015185904.tif 000013
【図１２】
2015185904.tif 000014
【図１３】
2015185904.tif 000015
【図１４】
2015185904.tif 000016
【図１５】
2015185904.tif 000017
【図１６】
2015185904.tif 000018
【図１７】
2015185904.tif 000019
【図１８】
2015185904.tif 000020